(57)【要約】【課題】  カード等の利用者の画像を記録することにより利用者を特定できるようにした不正監視装置を得る。【解決手段】  利用者が操作する磁気カード、ＩＣカード、指紋等の操作媒体から個人情報を読み取り、読み取った個人情報が登録情報と一致するとき上記利用者の操作を有効にする個人照合装置と、上記個人照合装置を操作した利用者を撮影するカメラとを備え、上記カメラにより撮影された画像を解析し、この画像が正常に撮影されたかどうかを判定し、正常に撮影されていないと判定したとき、上記個人情報と登録情報との一致に関わらず上記利用者の操作を無効にするようにした。正常に撮影されたかどうかの判定は、頭部と胴体の輪郭、および頭部の目、鼻、口の位置を照合する。【選択図】図１
2005100154.tif 000002
【特許請求の範囲】
【請求項１】
利用者が操作する磁気カード、ＩＣカード、指紋等の操作媒体から個人情報を読み取り、読み取った個人情報が登録情報と一致するとき上記利用者の操作を有効にする個人照合装置と、上記個人照合装置を操作した利用者を撮影するカメラとを備え、上記カメラにより撮影された画像を解析し、この画像が正常に撮影されたかどうかを判定し、正常に撮影されていないと判定したとき、上記個人情報と登録情報との一致に関わらず上記利用者の操作を無効にするようにしたことを特徴とする不正監視装置。
【請求項２】
画像が正常に撮影されたかどうかの判定は、画像解析により、画像の頭部と胴体の輪郭および目、鼻、口の位置を対象として行うようにしたことを特徴とする請求項１に記載の不正監視装置。
【請求項３】
撮影した画像の解析は、頭部と胴体の輪郭を対象とする第１のレベルと、さらに目、鼻、口の位置を対象とする第２のレベルとに分けて行うようにしたことを特徴とする請求項１に記載の不正監視装置。
【発明の詳細な説明】
【技術分野】
【０００１】
この発明は、例えばビル等の建物への出入り、部屋の出入りを個人識別により監視する不正監視装置に関するものである。
【背景技術】
【０００２】
従来、ＩＤカードの不正使用による侵入者を特定するために、入室者の顔を撮影記録することが行われている。特許文献１では、電気錠を解錠するために少なくともＩＤカードのカードリーダ部への入力操作が必要な入退室管理端末装置に、入室者を撮影する撮像部を設け、ＩＤカードを入力操作したときに撮影した撮像部からの画像情報を記憶するメモリを設け、このメモリに記憶した画像情報を中央監視センタへ伝送する伝送回路を設けている。
【０００３】
【特許文献１】特開平９−１９８５３８号公報
【発明の開示】
【発明が解決しようとする課題】
【０００４】
上記従来の装置では、常時人が監視していない場所に設置された個人照合装置をＩＤカードで操作する人が、カメラ部を手で覆ったり、故意に顔を隠して操作したりした場合、記録された画像情報から入退室者を特定することができないという問題があり、ＩＤカードの不正使用者を特定することができない。この発明は上記のような問題点を解消するためになされたもので、個人照合装置を操作した入退室者を特定する精度を向上させることを目的とするものである。
【課題を解決するための手段】
【０００５】
この発明に係る不正監視装置は、磁気カード、ＩＣカード、または指紋から利用者の個人情報を読み取り、読み取った個人情報が登録情報と一致するとき上記利用者に入退室許可を与える個人照合装置と、上記個人照合装置を操作した利用者を撮影するカメラとを備え、上記カメラにより撮影された画像を解析し、この画像が上記利用者を特定できる程度に撮影されたかどうかを判定し、特定できる程度に撮影されていないと判定したとき、上記個人情報と登録情報との一致に関わらず上記利用者の操作を無効にするようにしたものである。
【発明の効果】
【０００６】
上述のように、この発明によれば、例えばカード利用者の画像が正常に撮影されていないと判断された場合は利用者の操作を無効にするため、カメラ部を覆ったり、顔の一部を隠したりする等の不正な操作による不正を防止することができる。従って、大規模な防犯装置を必要とすることなく、ＩＣカード等の不正使用者を画像から割り出すことが容易になる。
【発明を実施するための最良の形態】
【０００７】
実施の形態１．
以下、この発明の実施の形態１を、部屋への入退室を例にして、図１の動作フローチャートにより説明する。入退室者は磁気、ＩＣカード等の挿入、または、指紋読取装置の操作により個人情報を入力する。入退室管理装置の個人照合装置はこれらの情報を読み込む（ステップＳ１）とともに、操作者の画像をカメラで撮影する（ステップＳ２）。次に、入力されたＩＣカード或いは指紋等の個人情報を、登録されている情報と照合し（ステップＳ３）、不一致（ＮＧ）であれば入退室を許可しないで終了する。
【０００８】
ステップＳ３において個人照合が一致（ＯＫ）した場合は、カメラで撮影した画像の画像解析処理１を行う（ステップＳ４）。画像解析処理１は画像の頭部と胴体部を取り出し、ステップＳ５で、この画像が図２に示すような人間の頭部と上半身の輪郭１と一致するかどうかの判定を行う。もし、顔を伏せたり、手で顔を隠したりした場合には、画像解析処理１で得られた画像は図２に示す画像と一致しない。一致しない（ＮＯ）場合は正常に画像が撮影されていないと判断し入退室を許可しないで終了する。
【０００９】
画像解析処理１の判定が一致（ＹＥＳ）の場合、さらに詳細な解析を行うかどうかをチェックする（ステップＳ６）。ステップ６で詳細な解析の必要が無い（ＮＯ）と判断した場合は、操作者の画像が正常に撮影されたと判断し、個人情報と画像を記録し（ステップＳ９）、入退室を許可して（ステップＳ１０）終了する。
【００１０】
ステップＳ６で、詳細な解析を行う必要がある（ＹＥＳ）場合は、画像解析処理２（ステップＳ７）を行う。画像解析処理２は撮影した画像の頭部を解析し、図３に示すような人間の頭部の目、鼻、口の位置２と一致するかどうかの解析を行う（ステップＳ８）。これは、画像解析処理１では適正と判断した画像の内、例えばカメラに背を向けて写した画像を排除するものである。一致しない（ＮＯ）場合は正常に画像が撮影されていないと判断し、入退室を許可しないで終了する。
【００１１】
画像解析処理２の解析の結果、図３に示すような目、鼻、口の位置２が画像と一致（ＯＫ）した場合は、操作者の画像が正常に撮影されたと判断し、個人情報と画像を記録し（ステップＳ９）、入退室を許可して（ステップＳ１０）終了する。
【００１２】
以上のように、この実施の形態では、利用者を撮影し、その画像が利用者を特定できる程度に撮影されていることを入退室の許可条件にしているため、利用者の画像を記録しておくことにより、利用者の特定が確実となり、大規模な防犯設備を設置することなく、カード等の不正使用の防止効果を高めることができる。
【産業上の利用可能性】
【００１３】
この発明は、建物への入退館、部屋への入退室の監視、或いは機器の使用管理に適用できる。
【図面の簡単な説明】
【００１４】
【図１】この発明の実施の形態１に係る不正監視装置の動作を説明するフローチヤートである。
【図２】この発明の画像解析処理１を説明する図である。
【図３】この発明の画像解析処理２を説明する図である。
【符号の説明】
【００１５】
１  頭部及び胴体の輪郭、    ２  頭部の目、鼻、口の位置。
【図１】
2005100154.tif 000003
【図２】
2005100154.tif 000004
【図３】
2005100154.tif 000005